(57)【要約】【課題】耕耘爪部にて掻き揚げられた土を積極的に掻き揚げた位置や耕耘爪部よりも前方側に供給することができながら、石等の異物とカバーとの衝突を防止してカバーの損傷を防止すること。【解決手段】回転駆動自在な耕耘爪部と、耕耘爪部の上方側を覆う上部カバー１５１と、耕耘爪部の後方側を覆う後部カバー１５２とが備えられ、上部カバー１５１には、上部カバー１５１側から耕耘爪部の回転軌跡Ｒ側に突出する突出部２１１が設けられている。【選択図】図４
2020103323.tif 000002
【特許請求の範囲】
【請求項１】
回転駆動自在な耕耘爪部と、
前記耕耘爪部の上方側を覆う上部カバーと、
前記耕耘爪部の後方側を覆う後部カバーとが備えられ、
前記上部カバーには、前記上部カバー側から前記耕耘爪部の回転軌跡側に突出する突出部が設けられていることを特徴とする耕耘作業機。
【請求項２】
前記突出部には、前記耕耘爪部の回転方向の下流側ほど前記耕耘爪部の回転軌跡側に接近する傾斜部が設けられていることを特徴とする請求項１に記載の耕耘作業機。
【請求項３】
前記傾斜部は、前記上部カバーの横幅方向の全長に亘って設けられていることを特徴とする請求項２に記載の耕耘作業機。
【請求項４】
前記後部カバーは、前記後部カバーの前部に設けられた回動支点となる軸心を中心に回動自在に構成され、
前記傾斜部は、回動支点となる前記軸心よりも前記耕耘爪部の回転方向で下流側に設けられていることを特徴とする請求項２又は３に記載の耕耘作業機。
【請求項５】
前記傾斜部の支持部は、前記傾斜部よりも前記耕耘爪部の回転方向で上流側に設けられていることを特徴とする請求項２〜４のいずれか１項に記載の耕耘作業機。
【発明の詳細な説明】
【技術分野】
【０００１】
本発明は、耕耘爪部を回転駆動させて耕耘を行う耕耘作業機に関する。
【背景技術】
【０００２】
上記のような耕耘作業機は、回転駆動自在な耕耘爪部と、その耕耘爪部の上方側及び後方側を覆うカバーとを備え、耕耘爪部を回転駆動させることで、耕耘爪部にて圃場の土を掻き揚げて耕耘するようにしている（例えば、特許文献１参照。）。このような耕耘作業機は、例えば、トラクタ等の後部に昇降自在に装着されて使用されている。
【０００３】
上記特許文献１に記載の耕耘作業機では、カバーとして、耕耘爪部の上部を覆う上部カバーと、その上部カバーの後端部に上下揺動自在に支持された後部カバーとが備えられている。そして、上部カバー及び後部カバーの内側には、上部カバーの前端部から後部カバーの後端部に亘って弾性体が備えられている。
【０００４】
例えば、山間部の地域等では、圃場に多くの石が存在する場合がある。このような場合には、耕耘爪部にて土と合わせて石を掻き揚げることになり、掻き揚げられた石が耕耘爪部から飛散してカバー等に衝突して、カバー等が損傷してしまう虞がある。
【０００５】
そこで、上記特許文献１に記載の耕耘作業機では、上部カバーの後端部に、耕耘爪部の回転軌跡と弾性体との間に位置して、耕耘爪部にて掻き揚げられた石の通過を阻止するプロテクタ部材が備えられている。
【先行技術文献】
【特許文献】
【０００６】
【特許文献１】実開平５−２９３０２号公報
【発明の概要】
【発明が解決しようとする課題】
【０００７】
上記のような耕耘作業機では、耕耘爪部にて耕耘された土を後部カバーの下方側部位にて押圧することで圃場を均平にしている。このとき、耕耘爪部にて掻き揚げられた土の一部を、その掻き揚げられた位置や耕耘爪部よりも前方側に供給することができれば、その土を再度耕耘することによって砕土性能を向上することができる。よって、後部カバーの下方側部位にて耕耘された土を押圧する場合に、十分に耕耘された土を押圧できることから、圃場の表面を綺麗な均平面とすることができる。そこで、耕耘爪部にて掻き揚げられた土の一部を、その掻き揚げられた位置や耕耘爪部よりも前方側に積極的に供給できることが望まれている。
【０００８】
耕耘爪部にて掻き揚げられた土を前方側に供給する際には、耕耘爪部の回転軌跡とカバーとの間に形成される間隙部を通して土を前方側に供給することになる。よって、上述の要望に応えるためには、耕耘爪部の回転軌跡とカバーとの間の間隙部において、耕耘爪部にて掻き揚げられた土を積極的に掻き揚げた位置や耕耘爪部よりも前方側に供給するための構成を備えることが必要となる。
【０００９】
上記特許文献１に記載の耕耘作業機では、耕耘爪部の回転軌跡とカバーとの間の間隙部を通して土を前方側に供給する際に、耕耘爪部の回転領域で後方側又は後方斜め上方側における耕耘爪部の回転軌跡とカバーとの間が、間隙部への土の入口部に相当することになる。しかしながら、その入口部の間隔が、それよりも耕耘爪部の回転方向の下流側よりも小さくなっており、耕耘爪部にて掻き揚げられた土が間隙部に進入し難い構成となっている。
【００１０】
そこで、掻き揚げた土の間隙部への入口部に相当する部位において、耕耘爪部の回転軌跡とカバー部との間の間隔を大きくすることが考えられる。しかしながら、その入口部の間隔を大きくする程、耕耘爪部の回転軌跡とカバーとの間に石が進入し易くなるので、耕耘爪部の回転軌跡とカバーとの間の間隔を大きくすると、カバーの損傷という問題が大きくなる。
【００１１】
また、上記特許文献１に記載の耕耘作業機では、耕耘爪部の回転軌跡とカバーとの間の間隙部の間隔が、耕耘爪部にて掻き揚げた土の入口部から、耕耘爪部の回転方向で徐々に大きくなり、後部カバーの前端部（後部カバーの揺動支点に相当する部位）において耕耘爪部の回転軌跡とカバーとの間の間隔が最大となっている。そして、その最大となる部位に対して耕耘爪部の回転方向の下流側に隣接する部位において、耕耘爪部の回転軌跡とカバーとの間の間隔が急激に小さくなっている。
【００１２】
このように、上記特許文献１に記載の耕耘作業機では、耕耘爪部の回転軌跡とカバーとの間の間隔が急激に変化することから、間隙部の入口部側に土が進入しても、その土をそれよりも前方側にスムーズに案内することが難しい構成となっている。特に、耕耘爪部の回転軌跡とカバーとの間の間隙が最大となる部位に対して、耕耘爪部の回転方向の下流側に隣接する部位において、耕耘爪部の回転軌跡とカバーとの間の間隙が急激に小さくなっていることから、この付近で土が滞留してしまい、それよりも前方側に土を移動させることができない可能性がある。しかも、プロテクタ部材が、耕耘爪部の回転軌跡とカバーとの間の間隙が急激に小さくなっている部位に配置されているので、プロテクタ部材が土の前方側への移動を大きく阻害してしまう可能性もある。
【００１３】
この実情に鑑み、本発明の主たる課題は、耕耘爪部にて掻き揚げられた土を積極的に掻き揚げた位置や耕耘爪部よりも前方側に供給することができながら、石等の異物とカバーとの衝突を防止してカバーの損傷を防止することができる耕耘作業機を提供する点にある。
【課題を解決するための手段】
【００１４】
本発明は、回転駆動自在な耕耘爪部と、その耕耘爪部の回転軌跡との間に間隙部を形成する状態で前記耕耘爪部の上方側及び後方側を覆うカバーとが備えられ、  前記間隙部には、前記耕耘爪部の後方側から上方側への回転領域において、前記耕耘爪部の回転軌跡と前記カバーとの間の間隔が前記耕耘爪部の回転方向で徐々に小さくなる間隔変化部が備えられ、
その間隔変化部の途中部位には、前記耕耘爪部の回転軌跡との間に間隔を隔てる状態で前記カバー側から前記耕耘爪部の回転軌跡側に突出する突出部が備えられ、
前記カバーの内側には、前記カバーの内面部に沿う姿勢でシート体が備えられ、前記シート体を前記カバーに固定するための支持体が備えられ、前記突出部が前記支持体に備えられ、
前記シート体として、前記カバーの前方側に配置される前方側シート体と前記カバーの後方側に配置される後方側シート体とが備えられ、
前記支持体が、前記前方側シート体と前記後方側シート体の両方をカバーに固定するためのものであると好適である。
【００１５】
本構成によれば、耕耘爪部にて掻き揚げられた土を前方側に供給する場合に、耕耘爪部の後方側から上方側への回転領域に備えられた間隔変化部を通して土を前方側に供給することができる。そして、間隔変化部では、耕耘爪部の回転軌跡とカバーとの間の間隔が耕耘爪部の回転方向で徐々に小さくなるので、耕耘爪部の回転軌跡とカバーとの間の間隔が急激に変化することもなく、耕耘爪部にて掻き揚げられた土を前方側にスムーズに案内することができる。しかも、間隔変化部は、耕耘爪部の回転方向の上流側部位において、耕耘爪部の回転軌跡とカバーとの間の間隔を耕耘爪部の回転方向の下流側部位よりも大きくすることができる。これにより、間隔変化部の入口部における耕耘爪部の回転軌跡とカバーとの間の間隔を大きくすることができ、耕耘爪部にて掻き揚げられた土を積極的に間隙部に進入させることができる。このように、間隔変化部を備えることで、耕耘爪部にて掻き揚げられた土を積極的にその掻き揚げた位置や耕耘爪部よりも前方側に供給することができる。
【００１６】
また、耕耘爪部にて掻き揚げられた土を積極的に前方側に供給するための間隔変化部を備えながら、その間隔変化部の途中部位に突出部を備えることで、間隙変化部の入口部側よりも耕耘爪部の回転方向の下流側に石等の異物が進入しても、突出部にてそれよりも耕耘爪部の回転方向の下流側への進入を適切に防止することができる。よって、耕耘爪部にて掻き揚げられた土を積極的に掻き揚げた位置や耕耘爪部よりも前方側に供給することができながら、石等の異物とカバーとの衝突を防止してカバーの損傷を防止することができる。
本構成によれば、シート体をカバーに固定するための支持体に突出部を備えるので、支持体を突出部としても機能させることができ、構成の兼用化によって構成の簡素化を図ることができる。
【００１７】
本発明は、前記間隙部における前記耕耘爪部の回転軌跡と前記カバーとの間の間隔について、
前記カバーの前端部における前記耕耘爪部の回転軌跡と前記カバーとの間の間隔をＫ１とし、
前記カバーの最上部における前記耕耘爪部の回転軌跡と前記カバーとの間の間隔をＫ２とし、
前記耕耘爪部の回転軌跡と前記突出部との間の間隔をＫ３とし、
前記間隔変化部の後端部における前記耕耘爪部の回転軌跡と前記カバーとの間の間隔をＫ４とした場合に、
Ｋ４＞Ｋ１≒Ｋ２＞Ｋ３の関係式を満たすように構成されていると好適である。
【００１８】
本構成によれば、間隔変化部の入口部側に相当する間隔変化部の後端部における耕耘爪部の回転軌跡とカバーとの間の間隔であるＫ４をより大きくすることで、耕耘爪部にて掻き揚げられた土を間隔変化部の入口部側に積極的に供給することができ、十分な量の土を間隔変化部を通して前方側に供給することができる。しかも、耕耘爪部の回転軌跡と突出部との間の間隔であるＫ３を、カバーの前端部における耕耘爪部の回転軌跡とカバーとの間の間隔であるＫ１、及び、カバーの最上部における耕耘爪部の回転軌跡とカバーとの間の間隔であるＫ２よりも小さくすることで、カバーの前端部及びカバーの最上部への石等の異物の進入を適切に防止することができる。よって、カバーの前端部及びカバーの最上部において、カバーと耕耘爪部との間に石等の異物が噛み込むのを適切に防止して、カバーの破損を適切に防止することができる。
【００１９】
本発明は、前記カバーの最上部における前記耕耘爪部の回転軌跡と前記カバーとの間の間隔をＫ２とし、
前記耕耘爪部の回転軌跡と前記突出部との間の間隔をＫ３とした場合に、
Ｋ２＞Ｋ３＞Ｋ２／２の関係式を満たすように構成されていると好適である。
【００２０】
本構成によれば、耕耘爪部の回転軌跡と突出部との間の間隔であるＫ３について、カバーの最上部における耕耘爪部の回転軌跡とカバーとの間の間隔であるＫ２よりも小さくしながらも、Ｋ２／２よりも大きな間隔を確保することができる。これにより、カバーの最上部への石等の異物の進入を適切に防止できながら、突出部よりも耕耘爪部の回転方向の下流側に土を供給することができ、耕耘爪部にて掻き揚げられた土を積極的に耕耘爪部よりも前方側に供給することができる。
【００２１】
本発明は、前記突出部には、前記耕耘爪部の回転方向の下流側ほど前記耕耘爪部の回転軌跡側に接近する傾斜部が備えられていると好適である。
【００２２】
本構成によれば、間隙変化部に石等の異物が進入すると、その異物が傾斜部に衝突して下方側に落下されることになる。そして、傾斜部は、耕耘爪部の回転方向の下流側ほど耕耘爪部の回転軌跡側に接近する傾斜状となっているので、異物を耕耘爪部の回転方向の上流側に跳ね返すのではなく、異物の下方側への落下をスムーズに行うことができる。これにより、突出部にて耕耘爪部の回転方向の下流側への進入が防止された異物が土の前方側への移動を邪魔し難くなり、耕耘爪部にて掻き揚げられた土を、突出部よりも耕耘爪部の回転方向の下流側にもスムーズに移動させることができる。
【００２３】
本発明は、回転駆動自在な耕耘爪部と、その耕耘爪部の回転軌跡との間に間隙部を形成する状態で前記耕耘爪部の上方側及び後方側を覆うカバーとが備えられ、
前記間隙部には、前記耕耘爪部の後方側から上方側への回転領域において、前記耕耘爪部の回転軌跡と前記カバーとの間の間隔が前記耕耘爪部の回転方向で徐々に小さくなる間隔変化部が備えられ、
その間隔変化部の途中部位には、前記耕耘爪部の回転軌跡との間に間隔を隔てる状態で前記カバー側から前記耕耘爪部の回転軌跡側に突出する突出部が備えられ、
前記カバーの内側には、前記カバーの内面部に沿う姿勢でシート体が備えられ、前記シート体を前記カバーに固定するための支持体が備えられ、前記突出部が前記支持体に備えられ、
前記シート体として、前記カバーの前方側に配置される前方側シート体と前記カバーの後方側に配置される後方側シート体とが備えられ、
前記支持体には、締結部材により前記後方側シート体と共締めされることで前記後方側シート体を前記カバーに固定する締結部と、前記カバーとの間で前記前方側シート体を挟み込むことで前記前方側シート体を前記カバーに固定する挟込部とが備えられ、
前記挟込部は、前記支持体において、前記突出部における前記耕耘爪部の回転軌跡に接近する側の端部から前記カバーに接近する側に折り返す状態で延設されていると好適である。
【００２４】
本構成によれば、支持体に備えられる締結部によって、後方側シート体をカバーに適切に固定することができるとともに、支持体に備えられる挟込部によって、前方側シート体をカバーに適切に固定することができる。これにより、支持体を備えるだけで、後方側シート体も前方側シート体もカバーに適切に固定することができ、構成の簡素化を図ることができる。しかも、挟込部は、突出部における耕耘爪部の回転軌跡に接近する側の端部からカバーに接近する側に折り返す状態で延設されているので、突出部における剛性を高めることができ、突出部の耐久性を向上することができる。
【００２５】
本発明の第１特徴構成は、回転駆動自在な耕耘爪部と、
前記耕耘爪部の上方側を覆う上部カバーと、
前記耕耘爪部の後方側を覆う後部カバーとが備えられ、
前記上部カバーには、前記上部カバー側から前記耕耘爪部の回転軌跡側に突出する突出部が設けられていることを特徴とする点にある。
【００２６】
本発明の第２特徴構成は、前記突出部には、前記耕耘爪部の回転方向の下流側ほど前記耕耘爪部の回転軌跡側に接近する傾斜部が設けられていることを特徴とする点にある。
【００２７】
本発明の第３特徴構成は、前記傾斜部は、前記上部カバーの横幅方向の全長に亘って設けられていることを特徴とする点にある。
【００２８】
本発明の第４特徴構成は、前記後部カバーは、前記後部カバーの前部に設けられた回動支点となる軸心を中心に回動自在に構成され、
前記傾斜部は、回動支点となる前記軸心よりも前記耕耘爪部の回転方向で下流側に設けられていることを特徴とする点にある。
【００２９】
本発明の第５特徴構成は、前記傾斜部の支持部は、前記傾斜部よりも前記耕耘爪部の回転方向で上流側に設けられていることを特徴とする点にある。
【図面の簡単な説明】
【００３０】
【図１】耕耘作業機をトラクタの後部に装着した状態での側面図
【図２】耕耘作業機の斜視図
【図３】耕耘作業機の側面図
【図４】耕耘作業機の要部の側面図
【図５】耕耘作業機における支持体の設置状態を示す斜視図
【図６】支持体にてシート体をカバーに固定する部位の拡大断面図
【発明を実施するための形態】
【００３１】
本発明に係る耕耘作業機の実施形態を図面に基づいて説明する。
この耕耘作業機１０は、図１に示すように、トラクタ１の後部に装着自在に構成されている。トラクタ１の車体部２の前部が左右一対の前輪３で支持され、車体部２の後部が左右一対の後輪４で支持されている。トラクタ１の車体部２の後部には、左右一対のロアリンク５とアッパリンク６とからなる３点リンク機構が備えられ、その３点リンク機構に耕耘作業機１０が装着自在に構成されている。ちなみに、耕耘作業機１０は、３点リンク機構に直接装着するだけでなく、例えば、三角形状に形成されたヒッチメンバを介して３点リンク機構に装着することもできる。トラクタ１の車体部２の後部には、昇降シリンダ等の油圧装置を有する昇降装置（図示省略）が備えられており、その昇降装置により３点リンク機構を昇降させることで、耕耘作業機１０を昇降させるように構成されている。
【００３２】
耕耘作業機１０には、図２及び図３に示すように、ロアリンク５等に連結するための左右一対の下方側連結部１１と、アッパリンク６等に連結するための上方側連結部１２とが備えられている。下方側連結部１１は、前後方向に延びる板状体にて構成され、その前端部にロアリンク５等を連結自在に構成されている。上方側連結部１２は、２枚の板状体を間隔を隔てて構成されており、その前端部にアッパリンク６等を連結自在に構成されている。
【００３３】
耕耘作業機１０には、トラクタ１の後部に備えられたＰＴＯ軸からの入力を受けるギアユニット１３と、回転駆動自在な耕耘爪部１４と、耕耘爪部１４の上方側及び後方側を覆うカバー１５とが備えられている。
【００３４】
ギアユニット１３は、耕耘作業機１０の横幅方向の全長に亘って延びるパイプケース１６の中央部に配置されている。ギアユニット１３は、ＰＴＯ軸から入力される回転駆動力を、パイプケース１６内に収容されたドライブシャフトを回転駆動させて、伝動ケース１７に伝達するように構成されている。伝動ケース１７は、パイプケース１６の左端部に備えられている。伝動ケース１７は、ギアユニット１３にて伝達される回転駆動力を伝達させて耕耘軸部１８を回転駆動させるように構成されている。
【００３５】
耕耘軸部１８は、耕耘作業機１０の横幅方向の全長に亘って延びるように備えられ、その耕耘軸部１８に対して耕耘爪部１４が間隔を隔てて複数設けられている。これにより、耕耘軸部１８が回転駆動されることで、複数の耕耘爪部１４が回転駆動されるように構成されている。ちなみに、耕耘爪部１４は、図３中反時計周りに回転駆動するダウンカット耕耘を行うように構成されている。
【００３６】
カバー１５は、図２〜図４に示すように、耕耘爪部１４の回転軌跡Ｒ（図４参照）との間に間隙部２５を形成する状態で耕耘爪部１４の上方側を覆う上部カバー１５１と、耕耘爪部１４の回転軌跡Ｒとの間に間隙部２６を形成する状態で耕耘爪部１４の後方側を覆う後部カバー１５２とが備えられている。
【００３７】
上部カバー１５１は、前端部位から後端部位にかけて円弧状に形成されており、後部カバー１５２も、前端部位から後端部位にかけて円弧状に形成されている。そして、後部カバー１５２の前端部が上部カバー１５１の後端部に耕耘作業機１０の横幅方向に沿う軸心Ｇ１（図４参照）周りに回動自在に連結され、後部カバー１５２が上部カバー１５１に対して上下揺動自在に支持されている。後部カバー１５２の後端側部位は、圃場に接するように配置されており、その後部カバー１５２の後端側部位が圃場を均平にするための整地板１５４として構成されている。
【００３８】
耕耘作業機１０には、図２及び図３に示すように、上部カバー１５１及び後部カバー１５２に加えて、耕耘爪部１４の側部を覆う側部カバー１５３が備えられている。側部カバー１５３は、上下方向及び前後方向に延びる板状に構成されており、耕耘作業機１０の横幅方向の両端部に配置されている。
【００３９】
耕耘作業機１０には、後部カバー１５２を上方側に回動させた状態に保持自在な左右一対のハンガーロック機構２４が備えられている。ハンガーロック機構２４は、上下方向に延びるハンガーロッド２４１と、そのハンガーロッド２４１の移動を阻止する状態でハンガーロッド２４１の上端側部位を保持自在なロック支持部２４２とが備えられている。ハンガーロッド２４１は、その下端部が後部カバー１５２の後端側部位に耕耘作業機１０の横幅方向に沿う軸心周りで回動自在に連結されている。ロック支持部２４２は、ハンガーロッド２４１を挿通させた状態で移動自在に支持しており、ピン等をハンガーロッド２４１に係合させることで、ハンガーロッド２４１の移動を阻止する状態でハンガーロッド２４１を保持するように構成されている。そして、ハンガーロッド２４１に対するピン等の係合を解除することで、ロック支持部２４２に対してハンガーロッド２４１が移動可能となっている。これにより、ハンガーロック機構２４は、後部カバー１５２を上方側に回動させるに伴い、ロック支持部２４２に対してハンガーロッド２４１を移動させ、ピン等をハンガーロッド２４１に係合させることで、後部カバー１５２を上方側に回動させた状態に保持するように構成されている。
【００４０】
耕耘作業機１０には、上述の如く、耕耘作業機１０の横幅方向の全長に亘って延びるパイプケース１６が備えられており、このパイプケース１６の後方側に、耕耘作業機１０の横幅方向の全長に亘って延びるフレームパイプ１９が備えられている。このように、パイプケース１６及びフレームパイプ１９を備えることで、耕耘作業機１０の剛性の向上を図るようにしている。
【００４１】
また、耕耘作業機１０には、尾輪を追加して備えるための尾輪支持フレーム２０が備えられている。尾輪支持フレーム２０は、その前端部が耕耘作業機１０の横幅方向に沿う軸心周りで回動自在に下方側連結部１１の後端部に連結されている。
【００４２】
以下、図４に基づいて、耕耘爪部１４の回転軌跡Ｒ（耕耘爪部１４の回転軌跡Ｒの外周部位）とカバー１５との間の間隙部２５，２６の間隔について説明する。
上述の如く、耕耘爪部１４の回転軌跡Ｒと上部カバー１５１との間に間隙部２５が形成されており、耕耘爪部１４の回転軌跡Ｒと後部カバー１５２との間に間隙部２６が形成されている。そして、間隙部２５，２６には、耕耘爪部１４の後方側から上方側への回転領域において、耕耘爪部１４の回転軌跡Ｒと後部カバー１５２との間の間隔が耕耘爪部１４の回転方向Ａで徐々に小さくなる間隔変化部２７が備えられている。
【００４３】
間隔変化部２７は、耕耘爪部１４にて掻き揚げられた土が耕耘爪部１４の回転軌跡Ｒと後部カバー１５２との間の間隙部２６に進入する入口部に相当する部位から、耕耘爪部１４の上方側への回転領域に向けて備えられている。つまり、耕耘爪部１４にて掻き揚げられた土が間隔変化部２７の入口部に進入するように、間隔変化部２７が配置されている。例えば、間隔変化部２７は、耕耘爪部１４の後方側よりも設定量だけ上方側(例えば、図４中、Ｋ４にて示す位置)から、上部カバー１５１の最上部（例えば、図４中、Ｋ２にて示す位置）までの耕耘爪部１４の回転領域に備えられている。
【００４４】
間隔変化部２７における耕耘爪部１４の回転軌跡Ｒと後部カバー１５２との間の間隔については、例えば、耕耘爪部１４の回転方向Ａの下流側ほど小さくなるように構成することができる。また、耕耘爪部１４の回転方向Ａにおいて、耕耘爪部１４の回転軌跡Ｒと後部カバー１５２との間の間隔が同じ又は略同じとする部位を有する形態で、耕耘爪部１４の回転軌跡Ｒと後部カバー１５２との間の間隔を段階的に小さくするように構成することもできる。このように、間隔変化部２７では、耕耘爪部１４の回転軌跡Ｒと後部カバー１５２との間の間隔が、耕耘爪部１４の回転方向Ａで、急激に変化するものではなく、徐々に小さくなるものであればよい。
【００４５】
そして、間隔変化部２７の途中部には、耕耘爪部１４の回転軌跡Ｒとの間に間隔を隔てる状態でカバー１５側から耕耘爪部１４の回転軌跡Ｒ側に突出する突出部２１１が備えられている。突出部２１１は、上部カバー１５１に対する後部カバー１５２の回動支点となる軸心Ｇ１よりも耕耘爪部１４の回転方向Ａで下流側に配置されている。突出部２１１は、例えば、耕耘爪部１４の回転領域において、耕耘爪部１４の後方部と上方部との間の中間部よりも上方部側に配置されている。
【００４６】
間隙部２５，２６における耕耘爪部１４の回転軌跡Ｒとカバー１５との間の間隔について、下記の〔関係式１〕及び〔関係式２〕を満たすように構成されている。ここで、上部カバー１５１の前端部における耕耘爪部１４の回転軌跡Ｒと上部カバー１５１との間の間隔をＫ１とし、上部カバー１５１の最上部における耕耘爪部１４の回転軌跡Ｒと上部カバー１５１との間の間隔をＫ２とする。また、耕耘爪部１４の回転軌跡Ｒと突出部２１１（突出部２１１の先端部）との間の間隔をＫ３とし、間隔変化部２７の後端部における耕耘爪部１４の回転軌跡Ｒと後部カバー１５２との間の間隔をＫ４とする。
【００４７】
〔関係式１〕
Ｋ４＞Ｋ１≒Ｋ２＞Ｋ３
【００４８】
〔関係式２〕
Ｋ２＞Ｋ３＞Ｋ２／２
【００４９】
また、間隙部２５，２６における耕耘爪部１４の回転軌跡Ｒとカバー１５との間の間隔について、上部カバー１５１に対する後部カバー１５２の揺動支点となる軸心Ｇ１における耕耘爪部１４の回転軌跡Ｒとカバー１５との間の間隔をＫ５とすると、下記の〔関係式３〕及び〔関係式４〕を満たすように構成することもできる。
【００５０】
〔関係式３〕
Ｋ４＝Ｋ５、Ｋ４≒Ｋ５、又は、Ｋ４＞Ｋ５
【００５１】
〔関係式４〕
Ｋ５＞Ｋ３
【００５２】
上述の如く、間隔変化部２７を備えることで、耕耘爪部１４にて掻き揚げられた土をそれよりも前方側に供給する場合に、間隔変化部２７を通して土を前方側に供給することができる。そして、間隔変化部２７では、耕耘爪部１４の回転軌跡Ｒとカバー１５との間の間隔が耕耘爪部１４の回転方向Ａで徐々に小さくなるので、間隙変化部２７に進入した土を前方側にスムーズに案内することができる。しかも、間隔変化部２７は、間隔変化部２７の入口部側に相当する間隔変化部２７の後端部における耕耘爪部１４の回転軌跡Ｒとカバー１５との間の間隔であるＫ４をより大きくすることで、耕耘爪部１４にて掻き揚げられた土を間隔変化部２７の入口部側に積極的に供給することができ、十分な量の土を間隔変化部２７を通して前方側に供給することができる。
【００５３】
このようにして、耕耘爪部１４にて掻き揚げられた土を、その掻き揚げられた位置や耕耘爪部１４よりも前方側に積極的に供給することができるので、その土を再度耕耘することによって砕土性能を向上することができる。よって、後部カバー１５２の下方側部位である整地板１５４にて耕耘された土を押圧する場合に、十分に耕耘された土を押圧できることから、圃場の表面を綺麗な均平面とすることができる。
【００５４】
そして、耕耘爪部１４の回転軌跡Ｒとカバー１５との間の間隔については、耕耘爪部１４の回転軌跡Ｒと突出部２１１との間の間隔であるＫ３を、上部カバー１５１の前端部における耕耘爪部１４の回転軌跡Ｒと上部カバー１５１との間の間隔であるＫ１、及び、上部カバー１５１の最上部における耕耘爪部１４の回転軌跡Ｒと上部カバー１５１との間の間隔であるＫ２よりも小さくすることで、上部カバー１５１の前端部及び上部カバー１５１の最上部への石等の異物の進入を適切に防止することができる。よって、上部カバー１５１の前端部及び上部カバー１５１の最上部において、上部カバー１５１と耕耘爪部１４との間に石等の異物が噛み込むのを適切に防止して、上部カバー１５１の破損を適切に防止することができる。
【００５５】
しかも、耕耘爪部１４の回転軌跡Ｒと突出部２１１との間の間隔であるＫ３については、上部カバー１５１の最上部における耕耘爪部１４の回転軌跡Ｒと上部カバー１５１との間の間隔であるＫ２よりも小さくしながらも、Ｋ２／２よりも大きな間隔を確保することができるので、突出部２１１よりも耕耘爪部１４の回転方向Ａの下流側に土を供給することができ、耕耘爪部１４にて掻き揚げられた土を積極的に耕耘爪部１４よりも前方側に供給することができる。
【００５６】
カバー１５の内側には、図４及び図５に示すように、カバー１５の内面部に沿う姿勢でシート体２２が備えられている。ここで、図５は、耕耘軸部１８及び耕耘爪部１４等を省略して、耕耘作業機１０の斜め下側から見たときの斜視図を示している。シート体２２として、カバー１５の前方側に配置される前方側シート体２２１とカバー１５の後方側に配置される後方側シート体２２２とが備えられ、前方側シート体２２１と後方側シート体２２２とが前後方向に連続する状態で備えられている。前方側シート体２２１は、例えば、樹脂製のシート体にて構成され、後方側シート体２２２は、例えば、ゴム等の弾性力を有するシート体にて構成されている。
【００５７】
前方側シート体２２１及び後方側シート体２２２をカバー１５に固定するための支持体２１が備えられており、突出部２１１が支持体２１に備えられている。そして、図５に示すように、支持体２１は、カバー１５の横幅方向の全長に亘って備えられており、突出部２１１も、カバー１５の横幅方向の全長に亘って備えられている。図４に示すように、支持体２１は、上部カバー１５１に対する後部カバー１５２の揺動支点となる軸心Ｇ１に隣接する位置から前方側に延びるように配置されている。支持体２１には、図４及び図６に示すように、耕耘爪部１４の回転方向Ａの上流側から、締結部２１２、傾斜部２１３、挟込部２１４の順に備える一体の板状体にて構成されている。
【００５８】
図６に示すように、締結部２１２は、上部カバー１５１の内面部に沿う板状に構成されている。そして、締結部２１２は、ボルトとナット等の締結部材２３により後方側シート体２２２と共締めされることで後方側シート体２２２を上部カバー１５１の後端側部位に固定するように構成されている。
【００５９】
傾斜部２１３は、耕耘爪部１４の回転方向Ａの下流側ほど耕耘爪部１４の回転軌跡Ｒ側に接近する傾斜状に形成されている。この傾斜部２１３が、突出部２１１として支持体２１に備えられている。
【００６０】
挟込部２１４は、上部カバー１５１との間で前方側シート体２２１を挟み込むことで前方側シート体２２１を上部カバー１５１に固定するように構成されている。この挟込部２１４は、支持体２１において、傾斜部２１３（突出部２１１）における耕耘爪部１４の回転軌跡Ｒに接近する側の端部から上部カバー１５１に接近する側に折り返す状態で延設されている。これにより、支持体２１は、傾斜部２１３と挟込部２１４とにより側面視でＶ字状に形成されている。ちなみに、前方側シート体２２１は、挟込部２１４による挟み込みに加えて、その前端部がボルトとナット等の締結部材２３（図４及び図５参照）により上部カバー１５１の前端部位に締結されることで、上部カバー１５１に固定されている。
【００６１】
〔別実施形態〕
（１）上記実施形態では、突出部２１１が支持体２１に備えられた例を示したが、例えば、突出部２１１を支持体２１とは別に備えることもでき、突出部２１１をどのように備えるかは適宜変更が可能である。
【００６２】
（２）上記実施形態では、間隙部２５，２６における耕耘爪部１４の回転軌跡Ｒとカバー１５との間の間隔について、上記〔関係式１〕を満たすように構成しているが、例えば、Ｋ１とＫ２との関係については、Ｋ１＜Ｋ２又はＫ２＜Ｋ１とすることもできる。
【００６３】
（３）上記実施形態では、間隙部２５，２６における耕耘爪部１４の回転軌跡Ｒとカバー１５との間の間隔について、上記〔関係式２〕を満たすように構成しているが、Ｋ２とＫ３との関係については、Ｋ２＞Ｋ３のみを満たすように構成することもできる。つまり、耕耘爪部１４の回転軌跡Ｒと突出部２１１（突出部２１１の先端部）との間の間隔Ｋ３として、どの程度の間隔を確保するかは適宜変更が可能である。
【００６４】
例えば、耕耘爪部１４にて掻き揚げられた土の前方側への供給量として多くの量を確保したい場合には、耕耘爪部１４の回転軌跡Ｒと突出部２１１（突出部２１１の先端部）との間の間隔Ｋ３をより大きな間隔とすることが望ましい。また、山間部の地域等では、圃場に多くの石が存在するので、耕耘爪部１４の回転軌跡Ｒと突出部２１１（突出部２１１の先端部）との間の間隔Ｋ３をより小さな間隔とすることで、石等の異物の噛み込み等によりカバー１５の損傷を適切に防止することができる。
【００６５】
例えば、耕耘爪部１４の回転軌跡Ｒと突出部２１１（突出部２１１の先端部）との間の間隔Ｋ３が異なる複数種の突出部２１１を予め用意しておき、圃場の状況等に応じて、どの突出部２１１を使用するかを選択することもできる。
【００６６】
（４）上記実施形態では、突出部２１１から延設して挟込部２１４を備えることで、支持体２１を側面視でＶ字状に形成しているが、支持体２１をどのような形状に形成するかは適宜変更が可能である。
【００６７】
（５）上記実施形態では、突出部２１１に傾斜部２１３を備えた例を示したが、例えば、カバー１５側から耕耘爪部１４の回転軌跡Ｒ側に直線状に延びる板状体にて突出部２１１を構成することもでき、突出部２１１をどのような形状とするかは適宜変更が可能である。
【００６８】
（６）上記実施形態では、間隔変化部２７を、耕耘爪部１４の後方側よりも設定量だけ上方側(例えば、図４中、Ｋ４にて示す位置)から、上部カバー１５１の最上部（例えば、図４中、Ｋ２にて示す位置）までの耕耘爪部１４の回転領域に備えているが、耕耘爪部の後方側から上方側への回転領域に間隔変化部２７を備えるものであればよく、耕耘爪部の後方側から上方側への回転領域のどの部分に間隔変化部２７を備えるかは適宜変更が可能である。
【００６９】
例えば、上部カバー１５１に対する後部カバー１５２の揺動支点となる軸心Ｇ１に相当する位置（例えば、図４中、Ｋ５にて示す位置）から、上部カバー１５１の最上部（例えば、図４中、Ｋ２にて示す位置）までの耕耘爪部１４の回転領域に、間隔変化部２７を備えることができる。
【００７０】
また、上記実施形態では、耕耘爪部１４にて掻き揚げられた土が間隔変化部２７の入口部に進入するように、間隔変化部２７を配置しているが、例えば、耕耘爪部１４にて掻き揚げられた土が耕耘爪部１４の回転軌跡Ｒと後部カバー１５２との間の間隙部２６に進入する入口部に相当する部位よりも耕耘爪部１４の回転方向Ａの下流側に、間隔変化部２７の入口部が位置するように、間隔変化部２７を配置することもできる。
【００７１】
このように、間隔変化部２７の入口部をどのような位置とするかは適宜変更が可能であり、間隔変化部２７の終端部をどのような位置とするかも適宜変更が可能である。
【符号の説明】
【００７２】
１０        耕耘作業機
１４        耕耘爪部
１５１      上部カバー
１５２      後部カバー
２１１      突出部
２１２      締結部（支持部）
２１３      傾斜部
Ｇ１        軸心
Ｒ          耕耘爪部の回転軌跡
【図１】
2020103323.tif 000003
【図２】
2020103323.tif 000004
【図３】
2020103323.tif 000005
【図４】
2020103323.tif 000006
【図５】
2020103323.tif 000007
【図６】
2020103323.tif 000008